(57)【要約】  本発明は、車両用空気入りタイヤの周囲に延在するカーカスと、車両用空気入りタイヤの全周にわたってカーカスの半径方向の外側に延在すると共に少なくとも車両用空気入りタイヤの幅にわたって軸方向に広がるベルトと、ベルトの半径方向の外側において車両用空気入りタイヤの周囲に延在するバンドとを有する車両用空気入りタイヤの製造法であり、ベルトは１層または数層のベルト層から構成され、このベルト層は、タイヤの周囲方向において対角線状に埋め込まれ、かつ、ゴムまたはプラスチック材料の中に平行に埋め込まれる強固な支持材を有する車両用空気入りタイヤの製造法に関する。この製造法においては、バンドを生成するために、１本または数本の平行な強固な支持材を、組立体に組み付けられる外部ベルト位置の回りにスクリューまたは渦巻き形状に巻き付け、この巻き付けを、本質的に、ベルトの外部ベルト位置に対して半径方向にある回転可能な回転対称の組立体の上に組み付けられる円周方向に向けられる組立体の軸方向において行う。本発明は、繊維状の強固な支持材および／または帯状体様の帯材から構成されるバンド帯材形成材料を、少なくとも４つの供給装置を有する１本または数本の平行な強固な支持材によって組立体に導き、さらに、この少なくとも４つの供給装置は、ベルトの上に、ベルトを周回するように、らせん状または渦巻状に巻き付けるために、組立体に対するその相対位置に関して調整することが可能であり、その調整を、組立体の制御された回転と、組立体および供給装置の間の相対位置の制御された軸方向調整とによって行うことを特徴とする。
2008538732.tif 000002
【特許請求の範囲】
【請求項１】
車両用空気入りタイヤの周囲に延在するカーカスと、車両用空気入りタイヤの全周にわたって前記カーカスの半径方向の外側に延在すると共に少なくとも車両用空気入りタイヤのトレッド接触幅にわたって軸方向に広がるベルトと、前記ベルトのベルト層の半径方向の外側において車両用空気入りタイヤの周囲に延在するバンドとを有する車両用空気入りタイヤの製造法であり、前記ベルトは、１層以上のベルト層を含み、前記ベルト層は、タイヤの周囲方向に対してそれぞれ斜めに形成され、かつ、未加硫ゴムまたは加硫ゴムの中に平行に埋め込まれる補強要素を備えた車両用空気入りタイヤの製造法であって、回転可能な回転対称の組立体の上に組み付けられた前記ベルトのベルト層―特に、半径方向に外側のベルト層―の上に、ほぼ周囲方向に揃えられた１本以上の平行な補強要素を、前記組立体の上に組み付けられる前記ベルト層―特に、半径方向に外側のベルト層―を周回するように、前記組立体の軸方向においてらせん状または渦巻状に巻き付けて、前記バンドを生成する車両用空気入りタイヤの製造法において、フィラメント形態の補強要素および／またはそれぞれ１本以上の平行な補強要素を有する帯状体形態の帯材を含むバンド帯材形成材料を、前記組立体に対するその相対位置を制御しながら変化させることができる少なくとも４つの供給装置によって前記組立体に導き、さらに、前記バンド帯材形成材料を、前記組立体の制御された回転と、前記組立体および巻き付け操作用の前記供給装置の間の相対位置の制御された軸方向変化とによって、前記ベルトのベルト層―特に、半径方向に外側のベルト層―の上に、前記ベルト層―特に、半径方向に外側のベルト層―を周回するように、らせん状または渦巻状に巻き付けることを特徴とする車両用空気入りタイヤの製造法。
【請求項２】
フィラメント形態の補強要素および／またはそれぞれ１本以上の平行な補強要素を有する帯状体形態の帯材を含む前記バンド帯材形成材料を、組立ドラム上に組み付けられたベルトの上に、前記ベルトを周回するように、らせん状または渦巻状に巻き付ける、請求項１の特徴に従う車両用空気入りタイヤの製造法。
【請求項３】
フィラメント形態の補強要素および／またはそれぞれ１本以上の平行な補強要素を有する帯状体形態の帯材を含む前記バンド帯材形成材料を、前記組立体に対するその相対位置を制御しながら変化させることができる少なくとも４つの巻き付けヘッドによって前記組立体に導き、前記組立体の制御された回転と、前記組立体および巻き付け操作用の前記供給装置の間の相対位置の制御された軸方向変化とによって、前記ベルトの上に、前記ベルトを周回するように、らせん状または渦巻状に巻き付ける、請求項１または２の特徴に従う車両用空気入りタイヤの製造法。
【請求項４】
各巻き付けヘッドを、少なくとも巻き付け操作の間、前記巻き付けヘッドにバンド帯材形成材料を供給する各巻き付けヘッド固有の材料貯蔵装置に連結する、請求項３の特徴に従う車両用空気入りタイヤの製造法。
【請求項５】
前記組立体に対するその相対位置を制御しながら変化させることができる少なくとも４つの前記供給装置が、フィラメント形態の補強要素および／またはそれぞれ１本以上の平行な補強要素を有する帯状体形態の帯材を含む少なくとも２種類の異なるバンド帯材形成材料を供給する、請求項１〜４の１項以上の特徴に従う車両用空気入りタイヤの製造法。
【請求項６】
前記組立体に対するその相対位置を制御しながら変化させることができる少なくとも４つの前記供給装置が、フィラメント形態の補強要素および／またはそれぞれ１本以上の平行な補強要素を有する帯状体形態の帯材を含む少なくとも２種類の異なるバンド帯材形成材料を供給し、その相違が前記補強要素の弾性係数にある、請求項５の特徴に従う車両用空気入りタイヤの製造法。
【請求項７】
前記組立体に対するその相対位置を制御しながら変化させることができる少なくとも４つの前記供給装置が、フィラメント形態の補強要素および／またはそれぞれ１本以上の平行な補強要素を有する帯状体形態の帯材を含む少なくとも２種類の異なるバンド帯材形成材料を供給し、その相違が前記補強要素の選択材料にある、請求項５の特徴に従う車両用空気入りタイヤの製造法。
【請求項８】
前記組立体に対するその相対位置を制御しながら変化させることができる少なくとも４つの前記供給装置が、フィラメント形態の補強要素および／またはそれぞれ１本以上の平行な補強要素を有する帯状体形態の帯材を含む少なくとも２種類の異なるバンド帯材形成材料を供給し、その相違が前記バンド帯材形成材料の幅にある、請求項５〜７の１項以上の特徴に従う車両用空気入りタイヤの製造法。
【請求項９】
前記組立体に対するその相対位置を制御しながら変化させることができる少なくとも４つの前記供給装置が、フィラメント形態の補強要素および／またはそれぞれ１本以上の平行な補強要素を有する帯状体形態の帯材を含む少なくとも２種類の異なるバンド帯材形成材料を供給し、その相違が前記バンド帯材形成材料を巻き付ける前記バンド帯材形成材料の引張応力にある、請求項５〜８の１項以上の特徴に従う車両用空気入りタイヤの製造法。
【発明の詳細な説明】
【技術分野】
【０００１】
本発明は、車両用空気入りタイヤの周囲に延在するカーカスと、車両用空気入りタイヤの全周にわたってカーカスの半径方向の外側に延在すると共に少なくとも車両用空気入りタイヤのトレッド接触幅にわたって軸方向に広がるベルトと、このベルトのベルト層の半径方向の外側において車両用空気入りタイヤの周囲に延在するバンドとを有する車両用空気入りタイヤの製造法であって、このベルトは、１層以上のベルト層を含み、このベルト層は、タイヤの周囲方向に対してそれぞれ斜めに形成され、かつ、未加硫ゴムまたは加硫ゴムの中に平行に埋め込まれる補強要素を備えた車両用空気入りタイヤの製造法に関する。この製造法においては、回転可能な回転対称の組立体の上に組み付けられたベルトのベルト層―特に、半径方向に外側のベルト層―の上に、ほぼ周囲方向に揃えられた１本以上の平行な補強要素を、組立体の上に組み付けられるベルト層―特に、半径方向に外側のベルト層―を周回するように、組立体の軸方向において、らせん状または渦巻状に巻き付けて、バンドを生成する。
【背景技術】
【０００２】
ベルトに作用する高い遠心力によって惹起されるベルトの好ましくない半径方向の寸法変化を制限するために、高速タイヤの半径方向に外側のベルト層の回りに、ベルトの軸方向の全幅にわたって連続的に渦巻状に巻き付けられるゴムの帯材を含むバンド層を形成することが知られている。この場合、ゴムの帯材の中には、その長手方向に補強要素が埋め込まれる。補強要素がタイヤのベルトの軸方向の全幅にわたって延びるピッチの方向が同一である結果として、同心性の問題が生じる可能性がある。これを低減するため、例えば特許文献１から、第１のバンド帯材を第１巻き付けヘッドによってベルトの一端から赤道面に向かって巻き付け、第２のバンド帯材を第２巻き付けヘッドによってベルトの第２端から赤道面に向かって巻き付けることによって、バンドをタイヤの赤道面に対して対称に構成することが知られる。このために、巻き付けヘッドを、その動きにおいて巻き付け操作が赤道面の両側で同時に鏡像の形で行われるように、共通のスピンドル上で互いに機械的に連結する。バンドの第２層も同様に生成される。すなわち、それぞれ機械的に相互連結された２つの巻き付けヘッドによって、バンド帯材を、それぞれベルトの軸方向の片側で、ベルトのもう一方の側のバンド帯材に対して鏡像の形で渦巻状に巻き付けるのである。
【特許文献１】欧州特許出願公開第０  ７１２  ７３９  Ａ１号明細書
【発明の開示】
【発明が解決しようとする課題】
【０００３】
バンドの一部を異なるバンド材料製とするべき場合は、対応する巻き付けヘッドを転換して、材料を、巻き付けヘッド、供給領域および方向揃え領域から取り外して新しい材料に置き換えなければならない。共通のスピンドルによって機械的に連結された２つの巻き付けヘッドによる対称巻き付けは、２つの巻き付けヘッドが、それぞれ事前設定された巻き付けヘッドの互いに対する軸方向の進み量だけ進行することを可能にするのみである。従って、２つの巻き付けヘッドによってそれぞれ巻き付けられるバンド領域のピッチの固定された事前設定比と、巻き付け密度の固定された事前設定比とが得られるだけである。状況によっては、バンド材料とは異なる帯材の幅および／または異なるバンド材料を有するバンドの個別の領域を形成したい場合がある。もし、異なる帯材の幅を選択すると、組み付け工程の間に、まず、新しい帯材材料を確実に導くために、対応する巻き付けヘッドおよび材料供給の転換が必要になる。帯材を同じ被覆密度で巻装することを可能にするには、組み付け工程においてスピンドルを交換しなければならない。これは、このようなタイヤの生産的製造が―ともかくも―多大の付加的な労力によってのみ可能になることを意味するので、このようなタイヤの製作は、通常、２つの巻き付けヘッドによってほとんど努力を要せずに達成し得る適応事例にのみ制限される。
【０００４】
従って、共通のスピンドルによって機械的に連結される２つの巻き付けヘッドによる対称巻き付けは、同心性の問題の低減を可能にするけれども、これは、タイヤの個別の要求への適合に関して、バンドの形成に重大な制限を課している。追加的な努力にも拘らず、タイヤに対する個別の要求に対応するバンドの形成は、大きく制限された程度においてのみ可能である。
【０００５】
従って、本発明は、ベルトおよびバンドを有する車両用空気入りタイヤを、車両用空気入りタイヤの個別の要求により良く適合し得るようにするという目的に基づいている。
【課題を解決するための手段】
【０００６】
この目的は、本発明によれば、次のような車両用空気入りタイヤの製造法によって実現される。すなわち、車両用空気入りタイヤの周囲に延在するカーカスと、車両用空気入りタイヤの全周にわたってカーカスの半径方向の外側に延在すると共に少なくとも車両用空気入りタイヤのトレッド接触幅にわたって軸方向に広がるベルトと、このベルトのベルト層の半径方向の外側において車両用空気入りタイヤの周囲に延在するバンドとを有する車両用空気入りタイヤの製造法であり、このベルトは、１層以上のベルト層を含み、このベルト層は、タイヤの周囲方向に対してそれぞれ斜めに形成され、かつ、未加硫ゴムまたは加硫ゴムの中に平行に埋め込まれる補強要素を備えた車両用空気入りタイヤの製造法であって、回転可能な回転対称の組立体の上に組み付けられたベルトのベルト層―特に、半径方向に外側のベルト層―の上に、ほぼ周囲方向に揃えられた１本以上の平行な補強要素を、組立体の上に組み付けられるベルト層―特に、半径方向に外側のベルト層―を周回するように、組立体の軸方向においてらせん状または渦巻状に巻き付けて、前記バンドを生成する車両用空気入りタイヤの製造法において、請求項１の特徴によれば、フィラメント形態の補強要素および／またはそれぞれ１本以上の平行な補強要素を有する帯状体形態の帯材を含むバンド帯材形成材料を、組立体に対するその相対位置を制御しながら変化させることができる少なくとも４つの供給装置によって組立体に導き、さらに、このバンド帯材形成材料を、組立体の制御された回転と、組立体および巻き付け操作用の供給装置の間の相対位置の制御された軸方向変化とによって、前記ベルトのベルト層―特に、半径方向に外側のベルト層―の上に、ベルト層―特に、半径方向に外側のベルト層―を周回するようにらせん状または渦巻状に巻き付ける、という特徴を有する車両用空気入りタイヤの製造法によって実現される。これによって、巻き付け方向に関して対称なバンドの巻き付けが可能になるだけでなく、タイヤの個別の要求に対応するために、補強要素の異なる材料の使用、帯状体形態の帯材の異なる幅、および異なるベルト領域における円周方向に対するいくつかの巻き付け角度も可能になる。良好な同心性の特性が確保されるが、特別な転換の労力を必要とすることなく、個別に調整されたバンドによって、個々のベルト領域をきわめて個別に形成することができ、また、個々に調整された異なるバンドを有する他のベルト領域を形成することができる。その結果、特殊な負荷を受けるベルト領域を適合させる修正、あるいは、軸方向範囲に使用される異なるトレッドゴム材料を適合させる修正が個別に可能になる。
【発明を実施するための最良の形態】
【０００７】
次に、図１〜図５に示す実施例に基づいて、本発明をさらに詳しく説明する。
【０００８】
図１に示す車両用空気入りタイヤは、通例のタイヤ構成要素から構成され、従って、パターン化されたトレッドゴム２と、ベルト３と、ベルトバンド４と、ラジアルカーカス５と、それぞれのビードフィラー７と、ビード保護帯８と、それぞれのサイドウォール９と、気密形態のインナー層１０とを含む。この内のラジアルカーカス５は、本実施例においては、単一層として表現され、従来の方式で各ビード芯６の周りに巻き込まれている。また、ビードフィラー７は、ビード芯６の半径方向の外側に配置される。
【０００９】
図示の実施例においては、ベルト３は、各層において平行に配列されてゴムの中に埋め込まれる補強要素、特にスチールコードを有する２枚のベルト層を含む。この場合、２枚の隣接する層内の補強要素は、互いに交差する。タイヤにおいては、ベルト層は、互いに平行に延びるスチールコードが、タイヤの円周方向と１５°〜３０°程度、特に２０°〜２５°程度の鋭角をなすように配置される。図２および図３と合わせて図１を見れば明らかなように、バンド４は、いわゆる巻き付けバンドとして構成される。この場合、バンド帯材１１がベルト３の周りに巻き付けられるが、このバンド帯材１１は、ゴムコンパウンドの中に埋め込まれ、かつ、帯材１１の長手方向に延びる補強要素を含んでいる。バンド帯材１１は、例えば図２の例に示すように、帯材の幅１ｃｍ当たり複数本のフィラメントを使用したバンド帯材１１とすることができる。特に、帯材の幅１ｃｍ当たり５〜１２本のフィラメント、例えば１０本のフィラメントの配置が一般的である。バンド帯材１１自体は、通常５〜１５ｍｍの幅、例えば１０ｍｍの幅を有する。また、バンド帯材１１は、ゴム材料の中に埋め込まれ、帯材の長手方向に形成されるただ１本の補強要素とすることもできる。
【００１０】
図３は、このようなバンド帯材１１をタイヤ軸の回りに渦巻状に巻き付ける方法を概略的に示す。この場合、バンド帯材１１は、特にベルト３を完全に被覆しかつ巻線が端から端まで巻かれる巻き付けバンド４を生成するように、ベルトの回りに巻き付けられる。しかし、巻き付けバンドの複数の層をタイヤに被覆施工することも可能である。特に、付加的なバンド層は、肩部領域における特定の部分に被覆施工することができ、―図５ａ、図５ｄ、図５ｅおよび図５ｇの例に示すように―それは、ベルト３の幅Ｂの少なくとも１５％の幅Ａを有するべきであり、ベルト３の周縁を被覆するべきである。
【００１１】
仕上げられ、加硫された車両用空気入りタイヤにおいては、バンド帯材と、バンド帯材１１の中に埋め込まれた１本または複数本の補強要素とは、車両に取り付けられた運転状態において、タイヤの円周方向と、０°〜５°程度、特に１°〜３°程度の非常に僅かな角度を形成する。
【００１２】
図４は、組立ドラム１２を示す。組立ドラム１２は、フレーム（表示されていない）内に、その軸の回りに回転可能に取り付けられ、周知のタイプの制御ユニット２５に接続される周知のタイプの駆動ユニット２６によって、制御しながらその軸の回りに周知の方法で回転させることができる。バンド帯材１１を組立ドラムの種々の円周位置に組み付けるために、組立ドラム１２の半径方向に外側の外側面の半径方向の外側に、バンド帯材形成材料を組立ドラム１２の半径方向に外側の外側面の上に巻装するための４つの巻き付けヘッド１３、１４、１５、１６が配置される。また、この４つの巻き付けヘッド１３、１４、１５、１６の取り付けは、その各巻き付けヘッドが、組立ドラムの全幅にわたってその軸方向位置においてそれぞれ軸方向に変位し得るように、かつ、半径方向の位置において、外側面をバンド材料で被覆するために定められる作業位置であってベルトドラム１２の半径方向に外側の外側面の領域における作業位置から、ベルトドラム１２の半径方向に外側の外側面から遥かに離れた休止位置に、半径方向の外側に向かって半径方向に動く―例えば、変位する―ことができるように、次には、その休止位置から作業位置に半径方向に戻る―例えば、変位する―ことができるように、行われる。巻き付けヘッド１３、１４、１５、１６は、それぞれ制御ユニット２５に接続され、それぞれ個別かつ互いに独立に、制御ユニットによって、その休止位置からベルトを被覆するための作業位置へそれぞれ動かされ、作業位置においては、外側面に沿って、組立ドラムのそれぞれ被覆されるべき軸方向の範囲の領域にわたって、組立ドラムの回転軸に平行に軸方向に動かされる。その場合、軸方向の動きの速度は、制御ユニットによって、組立ドラムの回転速度と、ベルトの円周方向に対するバンド帯材１１の所要の巻き付けピッチとに応じて制御され、巻き付け操作が完了すると、巻き付けヘッド１３、１４、１５、１６は、再び、組立ドラムの外側面におけるその作業位置から休止位置に、半径方向の外側に向かって制御されながら動かされる。
【００１３】
バンド帯材形成材料を供給するために、各巻き付けヘッド１３、１４、１５、１６には、例えば、ハウジングに周知の方法で回転可能に取り付けられる周知のタイプの貯蔵ローラ１７または１８または１９または２０のような材料源がそれぞれ付設される。従って、例えば、帯状体形態またはコード形態のバンド帯材形成材料２１、２２、２３、２４が、貯蔵ドラム１７、１８、１９、２０の上に貯蔵される。貯蔵ドラム１７のバンド帯材形成材料２１は巻き付けヘッド１３によって巻装され、貯蔵ドラム１８のバンド帯材形成材料２２は巻き付けヘッド１４によって巻装され、貯蔵ドラム１９のバンド帯材形成材料２３は巻き付けヘッド１５によって巻装され、貯蔵ローラ２０のバンド帯材形成材料２４は巻き付けヘッド１６によって巻装される。１つの実施形態においては、バンド帯材形成材料２１、２２、２３および２４がそれぞれ同じように形成される。別の実施形態においては、バンド帯材形成材料２１、２２および２３はそれぞれ同じように形成され、バンド形成材料２４は異なるように形成される。さらに、別の実施形態においては、バンド帯材形成材料２１および２２がそれぞれ同じように形成され、バンド帯材形成材料２３および２４は、同様に同じように、しかし、バンド帯材形成材料２１および２２とは異なるように形成される。さらに、別の実施形態においては、バンド帯材形成材料２１および２２はそれぞれ同じように形成され、バンド帯材形成材料２３および２４は、それぞれ互いに異なるように、かつまたバンド帯材形成材料２１および２２とも異なるように形成される。さらに、別の実施形態においては、すべての４本のバンド帯材形成材料２１、２２、２３および２４が異なるように形成される。
【００１４】
第１の実施形態においては、バンド帯材形成材料間の相違が、弾性係数の選択および／または補強要素の異なる材料の使用にある。補強要素の可能な材料は、ナイロン―特に、ナイロン６．６―、レーヨン、ポリエステル、スチール、またはハイブリッドコード―例えばアラミドおよびナイロン―特に、ナイロン６．６―、またはスチールおよびナイロン―特に、ナイロン６．６―の単繊維およびコード、並びに、バンド材料としての利用が知られる他のすべての材料である。従って、例えば、巻き付けヘッド１３、１４、１５および１６のいくつかは、熱収縮する繊維の補強要素―例えば、ナイロン６．６―がその中に埋め込まれたバンド帯材形成材料を巻装し、巻き付けヘッド１３、１４、１５および１６の他のいくつかは、周知のタイプのナイロン６．６とアラミドとのハイブリッド材料が補強要素としてその中に埋め込まれたバンド帯材形成材料を巻装する。別の実施形態においては、巻き付けヘッド１３、１４、１５および１６のいくつかは、ポリエステルが補強要素としてその中に埋め込まれたバンド帯材形成材料を巻装し、巻き付けヘッド１３、１４、１５および１６の他のいくつかは、周知のタイプのナイロン６．６とアラミドとのハイブリッド材料が補強要素としてその中に埋め込まれたバンド帯材形成材料を巻装する。さらに、別の実施形態においては、巻き付けヘッド１３、１４、１５および１６のいくつかは、ナイロン６．６が補強要素としてその中に埋め込まれたバンド帯材形成材料を巻装し、巻き付けヘッド１３、１４、１５および１６の他のいくつかは、スチールコードが補強要素としてその中に埋め込まれたバンド帯材形成材料を巻装する。
【００１５】
別の実施形態においては、供給されるバンド帯材形成材料の違いが、供給されるバンド帯材形成材料の幅にある。すなわち、１つの実施形態においては、巻き付けヘッド１３、１４、１５および１６のいくつかが、ゴム引きされた純粋な個別コードのバンド帯材形成材料を巻装し、巻き付けヘッド１３、１４、１５および１６の他のいくつかは、複数本の平行な補強要素がその埋め込まれた未加硫のゴムの帯状体を巻装する。また、別の実施形態においては、巻き付けヘッド１３、１４、１５および１６のいくつかが、数本、例えば３本の平行な補強要素を有する未加硫ゴムの幅の狭い帯状体を巻装し、巻き付けヘッド１３、１４、１５および１６の他のいくつかは、例えば５本、８本または１０本の平行な補強要素を有する未加硫ゴムの幅の広い帯状体を巻装する。
【００１６】
さらに、別の実施形態においては、供給されるバンド帯材形成材料の違いが、巻き付けられるバンド帯材材料が有する引張応力の選択にある。この応力は、例えば、バンド帯材形成材料を異なる引張応力で巻装することによって実現される。従って、１つの実施形態においては、巻き付けヘッド１３、１４、１５および１６のいくつかが、バンド帯材形成材料を第１の低い一定の引張応力で巻装し、巻き付けヘッド１３、１４、１５および１６の他のいくつかは、バンド帯材形成材料を第２の高い一定の引張応力で巻装する。別の実施形態においては、巻き付けヘッド１３、１４、１５および１６のいくつかが、バンド帯材形成材料を、巻き付け領域の軸方向の範囲にわたって事前設定された範囲において変化する第１の引張応力で巻装し、巻き付けヘッド１３、１４、１５および１６の他のいくつかは、バンド帯材形成材料を、巻き付け領域の軸方向の範囲にわたって事前設定された範囲において変化する第２の引張応力で巻装する。この場合、引張応力は、各巻き付けヘッドと相互作用する周知の力調節機構を用いて、制御ユニット２５によって周知の方法で制御または調節される。
【００１７】
さらに、別の実施形態においては、巻き付けヘッド１３、１４、１５および１６が、補強要素の材料とバンド形成材料の帯材の幅とが両方とも異なるバンド形成材料を巻装する。また、さらに、別の実施形態においては、巻き付けヘッド１３、１４、１５および１６が、補強要素の材料とバンド形成材料の引張応力とが両方とも異なるバンド形成材料を巻装する。さらに、別の実施形態においては、巻き付けヘッド１３、１４、１５および１６が、バンド帯材形成材料の引張応力とバンド形成材料の帯材の幅とが両方とも異なるバンド形成材料を巻装する。さらに、別の実施形態においては、巻き付けヘッド１３、１４、１５および１６が、補強要素の材料とバンド形成材料の帯材の幅とが両方とも異なり、さらに、付加的にバンド帯材形成材料の引張応力においても異なるバンド形成材料を巻装する。
【００１８】
製造されるタイヤに対する所要の巻き付けパターンとバンド施工される異なるバンド領域とに応じて回転駆動される組立ドラム１２を用いて、バンド帯材１１を、組立ドラム１２の上に周知の方法ですでに組み付けられかつ組立ドラムの全周上に延在するベルト３の上に、巻き付けヘッド１３、１４、１５、１６によって組み付ける。この場合、巻き付けヘッド１３、１４、１５、１６は、最初に、組立ドラムの外側面の半径方向の外側におけるその作業位置にそれぞれ制御されながら動かされ、それぞれ巻装されるバンド形成材料２１、２２、２３、２４が、それぞれ周知の方法で、巻き付けヘッド１３、１４、１５および１６によって、それぞれ貯蔵ローラ１７、１８、１９および２０から、それぞれベルト３の半径方向に外側の表面上に、―例えば、巻き付けヘッドに装着されたそれぞれ回転可能な周知のタイプの巻装ローラ（これは図示されていない）によって―導かれる。また、それぞれ巻き付けヘッド１３、１４、１５または１６によって巻装されるべきバンド帯材材料２１または２２または２３または２４は、ドラム軸に平行に動かされるそれぞれの巻き付けヘッド１３、１４、１５または１６の制御された動きによって、ベルトの円周方向に対するそれぞれ所要の巻き付けピッチで巻装される。組立ドラムの回転の動きが、ドラムの軸に平行に動かされるそれぞれの巻き付けヘッドの変位の動きと一緒になって、渦巻状またはらせん状の巻き付けを生成する。巻き付けヘッド１３、１４、１５または１６によって被覆されるべきベルトの部分がバンド材料によって被覆されると、直ちに、バンド材料が周知の方法で切断され、巻き付けヘッド１３、１４、１５または１６は、組立ドラムにおけるその作業位置から、それから離れたその休止位置に制御されながら戻される。
【００１９】
図５ａ〜図５ｇに、このような装置によって実現し得る巻き付けパターンのいくつかの異なる実施例を、例として、組立ドラムの軸を含む断面表現で示す。記入された矢印は、それぞれ、巻き付けヘッドの軸方向変位の方向、従って、巻き付けにおける組立ドラムに対する巻き付け方向を表す。
【００２０】
この場合、図５ａ〜図５ｇは、それぞれ、異なる巻き付け領域２７、２８、２９および３０を有する巻き付けパターンを示す。巻き付け領域２７は、巻き付けヘッド１３によってバンド形成材料２１で被覆され、巻き付け領域２８は、巻き付けヘッド１４によってバンド形成材料２２で被覆され、巻き付け領域２９は、巻き付けヘッド１５によってバンド形成材料２３で被覆され、巻き付け領域３０は、巻き付けヘッド１６によってバンド形成材料２４で被覆される。図５ａ〜図５ｇにおいては、ベルト幅の軸方向の中心に対して対称な巻き付けパターンをそれぞれ例として表現しているが、このパターンにおいては、ベルト幅の中心の軸方向の片側に選択された巻き付け方向が、それぞれもう一方の軸方向の側の巻き付け方向に対して対称になるように選択されている。
【００２１】
図５ａは、４つの異なる巻き付け領域２７、２８、２９および３０を有する第１の巻き付けパターンを示す。巻き付け領域２７は、巻き付けヘッド１３によってバンド形成材料２１で被覆され、巻き付け領域２８は、巻き付けヘッド１４によってバンド形成材料２２で被覆され、巻き付け領域２９は、巻き付けヘッド１５によってバンド形成材料２３で被覆され、巻き付け領域３０は、巻き付けヘッド１６によってバンド形成材料２４で被覆される。この場合、巻き付けヘッド１３および１４は、半径方向に内側の第１バンド層の巻き付け領域２７、２８を、巻き付け操作の間に、それぞれ、軸方向の変位、すなわち巻き付け方向の変位によって、ベルト３の範囲Ｂの軸方向の幅の中心から軸方向の外側に向かってベルト端部の方に、被覆していく。巻き付けヘッド１５および１６は、その巻き付け領域２９および３０によって、ベルトの端部を被覆する半径方向に外側の第２のバンド層の周縁帯材のみを形成する。この第２のバンド層は、同様に、軸方向の内側から軸方向の外側に向かって、周縁帯材の範囲Ａの軸方向の幅に対して巻き付けられる。ここで、範囲の幅は、Ａ≦（Ｂ／２）となるように選定される。
【００２２】
図５ｂにおいては、巻き付けヘッド１３および１４が、巻き付けヘッド１３および１４によって最初に形成された半径方向に内側の第１のバンド層の上において、半径方向に外側の付加的な第２のバンド層で、ベルト３を被覆する。この第２のバンド層は、それぞれ、巻き付けヘッド１５および１６によって形成される２つのベルト被覆端部領域２９および３０間において、軸方向の中心領域にのみ、その範囲を占めている。この実施形態においても、すべての４つの巻き付けヘッド１３、１４、１５、１６は、それぞれ、軸方向の内側から軸方向の外側に向かって、ベルトの端部の方向に巻き付けていく。
【００２３】
図５ｃの実施形態においては、巻き付けヘッド１３または１４をそれぞれ中心から軸方向の外側に向かってベルトの端部まで軸方向に動かすことによって、半径方向に内側の第１の層を巻き付けた後、２つの巻き付けヘッド１３および１４が、それぞれ、ベルト３の軸方向に外側の２つの領域を、この第１層の上に形成される半径方向に外側の第２層で被覆してベルトの端部を被覆する。この場合、この目的のために、２つの巻き付けヘッド１３および１４は、軸方向の外側から軸方向の内側に動かされる。２つの巻き付けヘッド１３および１４によって巻き付けられる第２層の２つの領域２７および２８の間に位置する軸方向の範囲の領域は、巻き付けヘッド１５および１６の軸方向の内側からベルト端部の方向への軸方向の変位によって、巻き付け領域２９および３０にわたって巻き付けられる。
【００２４】
図５ｄの巻き付けパターンは図５ａの巻き付けパターンに良く似ているが、巻き付けヘッド１３および１４によって第１層を巻き付けた後、第２層を、同じようにこの２つの巻き付けヘッド１３および１４によって巻き付ける。この第２層に対して初めて、ベルトの端部を被覆する帯材を、ベルトの端部領域を強化するために、巻き付けヘッド１５および１６によって第３層において範囲Ａの軸方向の領域にわたって巻き付ける。
【００２５】
図５ｅに示す巻き付けパターンの実施形態においては、第１層を、図５ａの実施形態の場合と同様に巻き付けヘッド１３および１４によって形成し、同様にそれぞれ、ベルトの軸方向の中心から軸方向の外側に向かってベルト端部の周縁まで延びる第２層を、巻き付けヘッド１５および１６によってこの第１層の上に巻き付け、続いて、巻き付けヘッド１５および１６は、ベルト端部の領域において、この第２層の上に、それぞれ軸方向の外側から軸方向に内側の方向に延びる範囲Ａの軸方向の領域にわたって、別の被覆帯材を第３層において巻き付ける。
【００２６】
図５ｆは、図５ｅの実施形態と同様に生成される巻き付けパターンを示す。但し、巻き付けヘッド１５および１６は、第２層を、軸方向のベルト幅Ｂの軸方向の中心からではなく、ベルト幅Ｂの軸方向の中心から軸方向に離れた位置から巻き付け開始して、軸方向の外側に向かってそれぞれのベルト端部の周縁まで、範囲Ｃの軸方向の領域にわたって巻き付ける。ここで、Ａ＜Ｃ＜（Ｂ／２）である。この方法で、細かく段階化された補強パターンが、軸方向のベルト幅Ｂにわたって生成される。
【００２７】
図５ｇは、図５ｆの巻き付けパターンに類似した巻き付けパターンを示すが、巻き付けヘッド１５および１６によって被覆される巻き付け領域２９および３０間の第２層に残る軸方向の中心領域が、巻き付けヘッド１３および１４によって、ベルト幅Ｂの軸方向の中心から軸方向の外側に向かって巻き付け領域２９、３０まで巻き付けられる。
【００２８】
この場合、第３層は、図５ｂの第３層と同様に、軸方向の外側から軸方向の内側に向かって、あるいは、―図５ｇに示すように―この代替方式として、軸方向の内側から軸方向の外側に向かってベルトの端部まで巻き付けることができる。
【００２９】
さらに、別の実施形態―図示されていない―においては、別の追加的な巻き付けヘッド―例えば、２つの別の巻き付けヘッド―を、同じように制御しながら動かすことができ、かつ、ベルトのバンド帯材材料を装備し得るように、巻き付けヘッド１３、１４、１５および１６に関連して上記に述べたと同様に、組立ドラムの領域内に配置することができる。この方法で、例えば、バンド帯材の第３層をこの別の２つの巻き付けヘッドによって巻装することによって、図５ｇの巻き付けパターンを生成できる。この場合、例えば、巻き付けヘッド１３、１４が、１０本の平行な補強要素をゴム材料の中に埋め込んだ１０ｍｍの大きな帯材幅を有する第１のバンド帯材材料を巻装し、巻き付けヘッド１５、１６が、ただ５本の平行な補強要素をゴム材料の中に埋め込んだ例えば５ｍｍの小さな帯材幅を有する第２の帯材形成材料を巻装し、２つの追加巻き付けヘッドが、例えばゴム引きされた個別のコードの第３の帯材形成材料を巻装することができる。
【００３０】
同様に、必要であれば、バンド形成材料を、８個または１２個の巻き付けヘッドによってベルトの上に巻き付けることも考えられる。
【００３１】
組立ドラムは、図４に、円筒状の外側面を有する組立ドラムとして表現される。同様に、輪郭を有する外側面を備えた組立ドラムを構成することが可能である。従って、例えば、その半径方向に外側の外側面に、ドラム軸を通って形成されるその断面においてクラウンを有する形状、凸型形状または必要であれば凹型形状の半径方向の外側輪郭を備えた組立ドラムを構成することができる。組み立てドラムの代わりに、ベルトおよびバンド組み付け用として、周知のタイプのドーナツ形の組立体を用いることも同様に可能である。
【図面の簡単な説明】
【００３２】
【図１】ラジアルカーカス、ベルトおよびバンドを有する車両用空気入りタイヤを断面表現で示す。
【図２】バンド帯材を断面表現で示す。
【図３】バンドコードまたはバンド帯材のベルト上への渦巻状またはらせん状の巻き付けを示す。
【図４】組立ドラムの周りに配置される４つの巻き付けヘッドを備えた、ベルトバンド生成用のタイヤ製作の概略的表現を示す。
【図５ａ】異なる巻き付けパターンを説明するための、巻き付けバンドを有するベルトの概略的表現を示す。
【図５ｂ】異なる巻き付けパターンを説明するための、巻き付けバンドを有するベルトの概略的表現を示す。
【図５ｃ】異なる巻き付けパターンを説明するための、巻き付けバンドを有するベルトの概略的表現を示す。
【図５ｄ】異なる巻き付けパターンを説明するための、巻き付けバンドを有するベルトの概略的表現を示す。
【図５ｅ】異なる巻き付けパターンを説明するための、巻き付けバンドを有するベルトの概略的表現を示す。
【図５ｆ】異なる巻き付けパターンを説明するための、巻き付けバンドを有するベルトの概略的表現を示す。
【図５ｇ】異なる巻き付けパターンを説明するための、巻き付けバンドを有するベルトの概略的表現を示す。
【符号の説明】
【００３３】
１  車両用空気入りタイヤ
２  トレッドゴム
３  ベルト
４  ベルトバンド
５  ラジアルカーカス
６  ビード芯
７  ビードフィラー
８  ビード保護帯
９  サイドウォール
１０  インナー層
１１  バンド帯材
１２  組立ドラム
１３  巻き付けヘッド
１４  巻き付けヘッド
１５  巻き付けヘッド
１６  巻き付けヘッド
１７  貯蔵ローラ
１８  貯蔵ローラ
１９  貯蔵ローラ
２０  貯蔵ローラ
２１  バンド材料
２２  バンド材料
２３  バンド材料
２４  バンド材料
２５  制御ユニット
２６  駆動装置
２７  巻き付け領域
２８  巻き付け領域
２９  巻き付け領域
３０  巻き付け領域
【図１】
2008538732.tif 000003
【図２】
2008538732.tif 000004
【図３】
2008538732.tif 000005
【図４】
2008538732.tif 000006
【図５】
2008538732.tif 000007
【国際調査報告】
2008538732.tif 000008
2008538732.tif 000009
2008538732.tif 000010
2008538732.tif 000011
2008538732.tif 000012
2008538732.tif 000013